(57)【要約】【課題】簡便な構造でカソードおよびアノードを配置することができ、良好な膜堆積、膜厚分布を得ることができ、さらに、冷却装置を具備する必要のない半導体素子製造装置を提供する。【解決手段】チャンバー１１は、内部を任意の真空度に制御することができるように構成されている。内部構造体８の底部には、アノード４を支持するためのアノード支持体６が設置されている。アノード４は、導電性および耐熱性を備えた材料で製作されている。アノード４は、ヒータ２４によって室温〜６００℃に加熱制御される。カソード２は、アノード４と対向状にカソード支持体５に設置されている。カソード支持体５は、チャンバー１１内に設けられた柱状枠組みの内部構造体８に取り付けられている。【選択図】  図１
2004214604.tif 000002
【特許請求の範囲】
【請求項１】
密封可能なチャンバーと、このチャンバー内にチャンバーの壁面から隔離して設けられ、かつ、被処理物である半導体素子基板を収容する内側空間が形成された内部構造体と、前記内側空間に反応性ガスを供給する反応性ガス供給手段と、反応性ガスをプラズマ放電させるカソードおよびアノードと、半導体素子基板を加熱するヒータとを備えてなり、これらのカソード、アノードおよびヒータが内部構造体により支持されていることを特徴とする半導体素子製造装置。
【請求項２】
内部構造体が、角柱状の枠組みで構成されていることを特徴とする請求項１記載の半導体素子製造装置。
【請求項３】
内部構造体が、保持脚を介してチャンバーに取り付けられていることを特徴とする請求項１記載の半導体素子製造装置。
【請求項４】
内部構造体が、絶縁物を介してカソードを支持していることを特徴とする請求項１記載の半導体素子製造装置。
【請求項５】
内部構造体が、絶縁物を介してヒータを支持していることを特徴とする請求項１記載の半導体素子製造装置。
【請求項６】
絶縁物が、ガラス、アルミナまたはジルコニアであることを特徴とする請求項３〜５のいずれか１つに記載の半導体素子製造装置。
【請求項７】
カソードが、その表裏両面以外の面から電力供給を受けるように構成されていることを特徴とする請求項１記載の半導体素子製造装置。
【請求項８】
１つのカソードにおける表裏両面のそれぞれに１つのアノードが対向するように配置され、そのカソードの両面でプラズマ放電が行われることを特徴とする請求項７記載の半導体素子製造装置。
【請求項９】
アノードが、多数の貫通穴を有するヒータと空隙を持つ箱構造で構成されていることを特徴とする請求項１記載の半導体素子製造装置。
【請求項１０】
アノードの空隙を内部構造体内の電極間に対して減圧・加圧する手段をさらに備えていることを特徴とする請求項９記載の半導体素子製造装置。
【請求項１１】
内部構造体の内側空間を１〜１００Ｔｏｒｒの圧力に保持する時に、アノードの空隙を内部構造体の内側空間の圧力以下に減圧する手段を有することを特徴とする請求項９記載の半導体素子製造装置。
【請求項１２】
アノードの空隙に不活性ガスを導入し基板の着脱を容易に行える手段を有することを特徴とする請求項９記載の半導体素子製造装置。
【請求項１３】
内部構造体の内側とアノード内空隙との圧力差により、基板がアノードに保持されるように構成されていることを特徴とする請求項９記載の半導体素子製造装置。
【請求項１４】
１つのアノードに対応して２つのカソードが設けられているか、２つのアノードに対応して１つのカソードが設けられているか、またはアノード・カソード対が２組以上設けられていることを特徴とする請求項１記載の半導体素子製造装置。
【請求項１５】
反応性ガスが、フッ素系エッチングガスであることを特徴とする請求項１記載の半導体素子製造装置。
【請求項１６】
請求項１〜請求項１５のいずれか１つに記載の半導体素子製造装置による半導体素子製造方法。
【発明の詳細な説明】
【０００１】
【発明の属する技術分野】
本発明は、半導体素子製造装置およびそれにより製造された半導体素子に関するものであり、特に、反応性ガスのプラズマ放電により基板にエッチングあるいは成膜を施して半導体素子を製造するために用いられ、内部の構造に特徴がある半導体素子製造装置、およびその半導体素子製造装置によって製造された半導体素子に関するものである。
【０００２】
【従来の技術】
従来、半導体素子製造装置としては、プラズマ化学技術においてエッチングあるいは成膜の均一性を改善するようにしたプラズマ反応装置がある（例えば、特許文献１参照）。
【０００３】
【特許文献１】
米国特許第４，２６４，３９３号明細書（第２〜６欄、図１および図２）
【０００４】
また、従来の一般的な半導体素子製造装置として、図４に示されたような縦型のものが知られている。
【０００５】
この半導体素子製造装置では、カソード２、アノード４および基板加熱用ヒータ１４が、外部大気圧の影響を受けるチャンバーの壁面に、構造体として固定されている。カソード２およびアノード４は、プラズマ放電を起こさせるためのものであり、チャンバーの壁面と兼用されている。
【０００６】
前記構造体とカソード２との間には、絶縁物からなる構造体が介在状に設けられている。そして、この構造体によって、カソード２およびアノード４が、チャンバーの壁面に支持されている。
【０００７】
カソード２とアノード４との間に形成されるプラズマ放電領域の周囲には、１辺の方向に排気口が設置されている。カソード２の下部およびチャンバーの壁面には、冷却部１４が備わっている。被処理物であるガラス基板１はホルダーに固定されており、このホルダーは周囲でチャンバー壁面に設置されている。
【０００８】
さらに、反応性ガスとしてエッチング用ガスを使用する場合には、チャンバー全体をアルミニウム合金で構成するとともに、反応性ラジカルの影響が及ぶカソード２の真空シール部やヒータ２４の真空シール部に、カルレッツなどのフッ素系ゴムシール材でシールを施す。
【０００９】
このような半導体素子製造装置について、より具体的に説明する。すなわち、反応容器としてチャンバーがあり、その内部に、アノード４が配置されている。アノード４は、被処理物であるガラス基板１を一定温度、例えば１００℃〜６００℃に加熱するヒータ２４と接触している。
【００１０】
チャンバーおよびアノード４にはステンレス鋼またはアルミニウム合金などが使用され、また、断熱材としてセラミックスなどが使用されている。さらに、基板１に対向するようにカソード２が配置されているが、このカソード２は、電気的な絶縁を得るために、絶縁物からなるカソード支持体５により支持されている。
【００１１】
ここで、均質な膜厚と膜質とを備えた成膜を得るためには、カソード２とアノード４との間隙距離を高い精度で設定する必要がある。このため、カソード２の周辺部分は固定ネジにより一定間隔で固定されている。
【００１２】
カソード２の材質は、ステンレス鋼またはアルミニウム合金などが使用されている。また、基板１と対向するカソード２の表面には、多数の微小な貫通穴が穴明け加工により明けられている。これらの貫通穴によって、反応性ガス導入管１０から供給された反応性ガスを基板１の表面に均一に供給することができる。
【００１３】
このような縦型の半導体素子製造装置の場合には、基板１は、基板保持部１５で固定状に保持されて、アノード４の表面に配置される。ヒータ２４の外側には、チャンバーや真空シール部の温度上昇を抑えるために、冷却部１４が配置されている。真空シール部には、バイトンやカルレッツなどのゴムシール材を用いるため、冷却を特に充分に行う必要があるからである。
【００１４】
チャンバー内の反応性ガスの圧力を自在に制御するために、放電空間排気管９、圧力制御器２２および真空ポンプ２１が設けられている。真空ポンプ２１には、排ガス中の有害物質を除去するための除害装置２３が接続されている。また、カソード２へ高周波電力の供給を行うために、高周波電源であるプラズマ励起電源１２とインピーダンス整合器１３とが設けられている。
【００１５】
このような構成において、反応性ガスの圧力を制御した状態で、カソード２とアノード４との間にグロー放電を発生させ、基板１の上に非晶質の膜あるいは結晶性の膜を形成する。
【００１６】
【発明が解決しようとする課題】
以上のような従来の半導体素子製造装置には、次のようないくつかの問題点がある。
【００１７】
カソード２、アノード４および基板加熱用ヒータ２４がチャンバーの壁面に固定されているため、外部への熱伝導が大きくなり、接地とシール部の冷却装置（冷却部１４）が必要になる。また、カソード２およびアノード４は、それ自体高い絶縁性が必要とされるにも拘らず、外部大気圧の影響を受けるチャンバーの壁面に兼用されているため、大きな構造体となり、部品も高価になり、さらに裏面側から冷却部１４で冷却する必要がある。ヒータ２４もチャンバーの壁面と接続されているため、その接続個所を冷却する必要がある。
【００１８】
カソード２およびアノード４が、絶縁物からなる構造体を介してチャンバーの壁面に支持されているが、電力導入に対して同壁面などの接地距離を確保することが難しいため、プラズマ放電も同壁面などの影響を受けやすい。この影響を最小限に抑えるためには、カソード２からチャンバー壁面を可能な限り遠ざける必要があるが、このようにすると、チャンバーのサイズの大型化に直結するため、大幅なコスト高の要因となる。
【００１９】
また、大型構造物であるカソード２は、チャンバー壁面との間で電気的な絶縁を確保するだけでなく反応性ガスの漏洩も防がなければならず、大型の絶縁部品が必要となり、大幅なコスト増につながる。
【００２０】
さらに、反応性ガスとしてフッ素系エッチングガスを使用する場合には、真空シール部にバイトンやカルレッツなどのゴムシール材を用いるが、プラズマ放電領域近傍のカソード２およびアノード４のシール部には、フッ素ラジカルの影響が避けられないため、高価なカルレッツを使わなければならない。
【００２１】
しかも、プラズマ放電領域の周囲には、１辺の方向にだけ排気口が設置されているため、反応性ガスのコンダクタンスが小さくなり、多量のガス置換が困難となる。
【００２２】
さらに、裏面側から電力を導入するため、プラズマ放電領域が表側の一面に制限される。加えて、縦型の基板設置の場合には、基板１を周囲で固定するため、接地が充分でなくなるという問題もある。
【００２３】
本発明は、このような実情に鑑みてなされたものであり、その目的は、簡便な構造でカソードおよびアノードを配置することができるとともに、良好な膜堆積、膜厚分布を得ることができ、さらに、冷却装置を具備する必要がなく、装置全体構造の簡略化ひいては低価格化を実現することができる半導体素子製造装置を提供すること、および同装置により製造される半導体素子製造方法を提供することにある。
【００２４】
【課題を解決するための手段】
本発明の１つの観点によれば、密封可能なチャンバーと、このチャンバー内にチャンバーの壁面から隔離して設けられ、かつ、被処理物である半導体素子基板を収容する内側空間が形成された内部構造体と、前記内側空間に反応性ガスを供給する反応性ガス供給手段と、反応性ガスをプラズマ放電させるカソードおよびアノードと、半導体素子基板を加熱するヒータとを備えてなり、これらのカソード、アノードおよびヒータが内部構造体により支持されていることを特徴とする半導体素子製造装置が提供される。
【００２５】
このような半導体素子製造装置では、カソードおよびアノードが、内部構造体によりチャンバーの壁面から隔離して支持されているので、大気圧に対する強度が不要になり、簡略化することができる。また、ヒータがチャンバー壁面から隔離されているので、外部への熱伝導が抑えられ、同壁面を冷却する冷却装置を省略することができる。さらに、チャンバー内において、放電空間の周囲にはカソード、アノードおよび基板加熱用ヒータを支持している内部構造体があるが、それ以外には遮るものがないことから反応性ガスの流路を妨げることがなく、ガスのコンダクタンスも大きくなるので、多量のガスの置換が可能となる。
放電プラズマの安定性においても、外壁等の接地部とカソード電極との距離を十分に確保できるため、アノード電極以外の電位の影響を受けにくくなりプラズマの安定性が向上する。
また、チャンバーの壁面と放電空間とを離すことができるため、フッ素等の腐食系ガスを使用する際においても、真空シールに用いるＯリング等の真空部品の耐腐食性を考慮する必要がなくなるため、バイトン等の汎用品を使用できる。
【００２６】
従って、本発明に係る半導体素子製造装置によれば、簡便な構造でカソードおよびアノードを配置できるとともに、良好な膜堆積、膜厚分布を得ることができ、さらに、冷却装置を具備する必要がなく、装置全体構造の簡略化ひいては低価格化を実現することができる。
【００２７】
本発明に係る半導体素子製造装置は、内部構造体が角柱状の枠組みで構成されているのが好ましい。このように構成されている場合は、角柱状の枠組みにおける平坦な側面を利用することで、平板状のカソードおよびアノードの内部構造体への組み付けが容易になる。
【００２８】
内部構造体は、保持脚を介してチャンバーに取り付けられているのが好ましい。このような場合には、内部構造体とチャンバーの壁面との間の熱伝導を小さくすることができる。しかも、内部構造体をチャンバーの壁面から隔離して配置するため、反応性ガスのコンダクタンスが大きくなり、多量のガス置換が可能となる。
【００２９】
内部構造体は、絶縁物を介してカソードを支持しているのが好ましい。このような場合には、電力導入に際してカソードに対するチャンバー壁面などの影響を抑えることが可能となるため、放電空間の制御が容易となる。
【００３０】
内部構造体は、絶縁物を介してヒータを支持しているのが好ましい。このような場合には、電力導入に際してヒータに対するチャンバー壁面などの影響を抑えることが可能となるばかりでなく、アノードの電位制御を行うことができるため、放電空間の制御が容易となる。
【００３１】
これらの絶縁物は、ガラス、アルミナまたはジルコニアであるのが好ましい。このような場合には、入手しやすく比較的安価な材料で所望の絶縁性を確保することができる。
【００３２】
カソードは、その表裏両面以外の面、すなわち、その厚み形成面である端面あるいは側面から電力供給を受けるように構成されているのが好ましい。このように構成されている場合には、表裏両面以外の面から電力導入することで、表裏両面における放電をより有効に利用することができる。
【００３３】
本発明に係る半導体素子製造装置は、１つのカソードにおける表裏両面のそれぞれに１つのアノードが対向するように配置され、そのカソードの両面でプラズマ放電が行われるように構成されているのが好ましい。このように構成されている場合には、１つのカソードに対して２箇所のプラズマ放電が可能になるので、より高い処理効率で半導体素子を製造することができ、しかも装置全体の小型化を図ることができる。
もちろん、このような構造を同一チャンバー内に複数設置することで、処理効率の向上を図ることもできる。
【００３４】
本発明に係る半導体素子製造装置は、アノードの空隙を内部構造体内の電極間に対して減圧する手段をさらに備えているのが好ましい。このような場合には、減圧手段によって、アノードの空隙の圧力が内部構造体内の電極間の圧力よりも小さくなるので、この圧力差を利用することで、基板をアノードの表面に設置することが容易になり、基板を支持するための支持機構を簡略化することができる。
【００３５】
具体的には、このような減圧手段によって、内部構造体の内側空間が１〜１００Ｔｏｒｒの圧力、すなわち、１／７６０〜１００／７６０気圧に保持されているのが好ましい。前記圧力差を利用して基板をアノードの表面に設置するには、内部構造体の内側空間における圧力をこの範囲内のものにするのが適切であることが実験により判明したからである。
【００３６】
前記圧力差を利用して基板をアノードの表面に設置する場合に、アノードは、多数の貫通穴を有するヒータで構成されているのが好ましい。このように構成されたアノードを用いた場合には、多数の貫通穴により、基板をアノードの表面にいっそう容易に設置することができる。
【００３７】
内部構造体の内側とアノード内空隙との圧力差により、基板がアノードに保持されるように構成されているのが好ましい。このように構成された場合には、多数の貫通穴により、基板をアノードの表面にいっそう容易に設置することができる。
【００３８】
本発明に係る半導体素子製造装置は、１つのアノードに対応して２つのカソードが設けられているか、２つのアノードに対応して１つのカソードが設けられているか、またはアノード・カソード対が２組以上設けられているのが好ましい。アノードおよびカソードが以上のような３種類の態様のいずれかで設けられている場合には、１つのアノードに対応して１つのカソードが設けられている１組のアノード・カソード対からなる半導体素子製造装置に比べて、より短時間でより大量の基板に所定の処理を施すことが可能になるので、製造効率を向上させることができる。
【００３９】
本発明に係る半導体素子製造装置は、フッ素系エッチングガスのプラズマを発生させるものであってもよい。ＳＦ６，ＮＦ３などの広く用いられているフッ素系エッチングガスによりプラズマを発生させることで装置の稼働率を上げることができるため、所望の半導体素子を低コストで容易に製造することが可能になる。
【００４０】
本発明の別の観点によれば、本発明の１つの観点による半導体素子製造装置による半導体素子製造方法が提供される。このような半導体素子製造方法によれば、半導体薄膜あるいは光学的薄膜を用いた太陽電池、ＴＦＴ、感光体などの半導体素子を低コストでしかも効率よく得ることができる。
【００４１】
【実施の形態】
以下、図面に示す３つの実施の形態に基づいて本発明を詳述する。なお、これらの実施の形態によって本発明が限定されるものではない。
【００４２】
実施の形態１
図１には、実施の形態１に係る半導体素子製造装置の概略縦断面図が示されている。
【００４３】
チャンバー１１は、ステンレス鋼あるいはアルミニウム合金などで製作されている。チャンバー１１の嵌合部分はＯリングなどによって完全に密閉されている。チャンバー１１には、排気管９、圧力制御器２２および真空ポンプ２１が接続されており、チャンバー１１内を任意の真空度に制御することができるように構成されている。真空ポンプ２１には、チャンバー１１に導入された反応性ガスが反応した後の排ガス中に含まれる有害物質を除去するための除害装置２３が接続されている。
チャンバー１１には、保持する構造体の重量を支えるに十分な電気的保持脚２５が接続されており、その保持脚２５に内部構造体８が接続される。この保持脚２５は、チャンバー１１への熱伝導を抑制するために内部構造体８を空間的に隔離することが目的であり、その長さはできるだけ長く、設置面積はできるだけ小さい方がよい。電気的保持脚２５は、ここではチャンバー１１の底面に接続されているが、その接続箇所は、チャンバー１１の側面や上面でもよく、特に限定されるものではない。
内部構造体は、カソード、アノード、ヒータ等の部品を保持できる強度を持つ構造体であり、内部に導入するガスの置換効率を考慮すると、角材等の枠状の構造体であるのが好ましい。ただし、カソード、アノード、ヒータ等の部品を保持できる強度とガス置換の容易さとを兼ね備えるものであれば、この構造に限定されるものではない。
【００４４】
アノード４は、ステンレス鋼、アルミニウム合金、カーボンなどの、導電性および耐熱性を備えた材料で製作されている。アノード４の寸法は、薄膜を形成するためのガラス基板１の寸法に合わせて適当な値に決定されている。ここでは、基板１の寸法９００〜１２００ｍｍｘ４００〜９００ｍｍに対して、アノード４の寸法を１０００〜１５００ｍｍｘ６００〜１０００ｍｍにして設計した。
【００４５】
アノード４は、ヒータ２４を内蔵しており、このヒータ２４によって、アノード４は室温〜３００℃に加熱制御される。アノード４は、ここでは、アルミニウム合金中にシースヒータなどの密閉型加熱装置と熱電対などの密閉型温度センサとを内蔵したものを用いており、室温〜３００℃の間で加熱制御される。
【００４６】
内部構造体８の底面とアノード４の下面との間には、アノード４からの輻射熱による内部構造体８の熱上昇を抑えるために、一定寸法の間隙が設けられている。この間隙は、ここでは１０ｍｍ〜３０ｍｍに設定した。
【００４７】
また、アノード支持体６の材質は、アノード支持体６の熱伝導による内部構造体８の熱上昇を抑えるために、熱伝導率の小さい材質が望ましく、ここではジルコニア（酸化ジルコニウム）を用いた。
【００４８】
さらに、アノード４とアノード支持体６との接触面積は、アノード支持体６の熱伝導によって、アノード４の熱が内部構造体８へ伝達されるのを抑えるために、できるだけ小さい方が望ましい。アノード支持体６は、ここではアノード４の４隅を支持する形態を採り、その支持寸法を３０ｍｍｘ５０ｍｍとしたが、この支持形態と支持寸法については、アノード４が撓むおそれがないように決定した。
【００４９】
また、アノード支持体６の熱伝導によって、アノード４の熱が内部構造体８に伝達されるのを抑えるために、アノード支持体６とアノード４との接触部分には、さらに深さ１ｍｍ〜５ｍｍの掘り込みが数箇所設けられている。これにより、支持体６の強度を損なうことなく接触面積を減少させている。
【００５０】
アノード４は、その４隅に配されたアノード支持体６により支持されている。
【００５１】
アノード４を電気的に接地する必要がある場合には、アノード４は接地線によりチャンバー１１に接続される。ここでは、接地線は、アノード４の４隅に、幅１０ｍｍ〜３５ｍｍ、厚さ０．５ｍｍ〜３ｍｍのアルミニウム板を用いて取り付けた。なお、アノード４の電位制御を行う場合には、ＤＣ電源をアノード４に直接接続すればよい。
【００５２】
カソード２は、ステンレス鋼やアルミニウム合金などから作られている。ここでは、アルミニウム合金を使用した。カソード２の寸法は、成膜を行う基板１の寸法に合わせて適当な値に設定され、ここでは、１０００〜１５００ｍｍｘ６００〜１０００ｍｍで設計した。
【００５３】
カソード２の内部は空洞となっている。この空洞へは、反応性ガス導入管１０を通じて反応性ガスが導入される。ここでは、反応性ガスとして、Ｈ２で希釈したＳｉＨ４ガスを使用した。
【００５４】
カソード２の表面には、反応性ガスを基板１の上へ供給するための多数の貫通穴が穴明け加工により明けられている。この穴明け加工は、直径０．１ｍｍ〜２ｍｍの穴を数ｍｍ〜数ｃｍピッチで行うのが望ましい。
【００５５】
カソード２は、アノード４と対向状にカソード支持体５に設置されている。カソード支持体５には、電気絶縁性が求められるとともに、カソード２を保持するに足る強度が必要であることから、セラミックスなどの材料が使用される。ここでは、ジルコニア、アルミナ（酸化アルミニウム）またはガラスを使用した。
【００５６】
カソード２とアノード４との距離は、数ｍｍ〜数十ｍｍであるのが好ましく、ここでは２ｍｍ〜３０ｍｍとした。また、その距離精度は、数％以内であることが望ましく、ここでは１％以下であることを確認した。
【００５７】
なお、カソード支持体５は、カソード２の４隅に配置したが、カソード２の周辺部全体に配置してもかまわない。
【００５８】
カソード支持体５とカソード２とが接触する箇所の寸法は、ここでは１００ｍｍｘ５０ｍｍとしたが、一般に、カソード２の撓みが発生しない寸法および配置に構成される。
【００５９】
カソード支持体５は、チャンバー１１内に設けられた四角柱状枠組みの内部構造体８に取り付けられている。
【００６０】
カソード２へは、プラズマ励起電源１２がインピーダンス整合器１３を介して電気的に接続されることで、電力が供給される。プラズマ励起電源１２は、ＡＣ１．００ＭＨｚ〜１０８．４８ＭＨｚの周波数で１０Ｗ〜１００ｋＷの電力を使用する。ここでは、１３．５６ＭＨｚ〜５４．２４ＭＨｚで１０Ｗ〜１０ｋＷを使用した。
【００６１】
以上のように構成された半導体素子製造装置において、反応性ガスを所定の流量および圧力でカソード２とアノード４との間隙に充填し、カソード２とアノード４とに高周波電力を印加することで、カソード２とアノード４との間にグロー放電領域（プラズマ放電領域）を発生させた。そして、基板１上に、非晶質の膜または結晶性の膜を形成することができた。
【００６２】
より具体的には、反応性ガスとしてＨ２で希釈したＳｉＨ４ガスを使用して、成膜時間を１０分にすることで、膜厚３００ｎｍのシリコン薄膜を膜厚分布±１０％以内で堆積させることができた。
【００６３】
以上のように構成された実施の形態１に係る半導体素子製造装置によれば、従来に比べて、簡便な構造でカソード２およびアノード４を配置できるうえ、良好な膜堆積、膜厚分布を得ることが可能になる。また、内部構造体にカソード２およびアノード４を配置できることで、冷却装置を具備する必要がなくなり、装置構造の簡略化、ひいては低価格化を実現することができる。
この実施の形態１に係る半導体素子製造装置による半導体素子製造方法によれば、半導体薄膜あるいは光学的薄膜を用いた太陽電池、ＴＦＴ、感光体などの半導体素子を低コストでしかも効率よく得ることができる。
【００６４】
実施の形態２
図２には、実施の形態２に係る半導体素子製造装置の概略縦断面図が示されている。
【００６５】
この半導体素子製造装置では、実施の形態１と同一のチャンバー１１が用いられ、このチャンバー１１の内部で１枚のカソード２の両面にアノード４が配置されている。このとき、電力の供給は、カソード２の表裏両面以外の面、すなわち、その厚み形成面である端面あるいは側面から行う。この半導体素子製造装置は、壁面から絶縁されているため、アノード４の電位制御も容易な構造となっている。この場合、複数枚の基板１の成膜が可能となる。
【００６６】
以上のように構成された実施の形態２に係る半導体素子製造装置によれば、実施の形態１に係る半導体素子製造装置が奏する前記効果と同様な効果を奏することができるだけでなく、処理能力の向上を図ることができる。
【００６７】
実施の形態３
図３には、実施の形態３に係る半導体素子製造装置の概略縦断面図が示されている。
【００６８】
この半導体素子製造装置では、アノード３は、図５に示すように多数の貫通穴２８を有するヒータ２７と空隙を持つ箱構造である。そして、ヒータ２７もアノード３内に内蔵されている。また、このアノード３内の空隙には排気・不活性ガス導入用配管７があり、この配管７を通じてガスを排気・導入することにより、基板１をアノード３に良好に接地・着脱する機構が設けられている。
【００６９】
ただし、この機構は、基板１の保持に圧力差を利用するため、０．１Ｔｏｒｒ以上の圧力差での成膜が適している。ここでは、排気口をアノード内配管７と放電空間内排気管９との２系統に設け、その差圧を利用している。このとき、成膜圧力やアノード３上の貫通穴２８の密度（分布度）、その形状および大きさは、保持される基板１の重量によって任意に設定することができる。
【００７０】
この半導体素子製造装置では、成膜圧力を１Ｔｏｒｒ、貫通穴の密度（分布度）を１個／ｃｍ２、貫通穴２８の形状および大きさを円形、１ｍｍφに設定することで、厚さ０．７ｍｍのガラス基板１を保持している。
【００７１】
以上のように構成された実施の形態３に係る半導体素子製造装置にあっては、基板１のガラス面を均一な力でアノード３に対して設置するため、設置状況は良好で、面内の膜厚分布の改善に大きく貢献している。また、不均一放電の原因となる基板保持部１５も必要がなくなり、除去することができるため、放電の均一性が向上している。
逆に、チャンバーを低圧にし、チャンバー内と比べてアノード内を、この配管７を通じて不活性ガス２６を導入することで加圧状態にすると、基板１がカソード表面から浮き上がり、基板１の着脱が容易に行える。
【００７２】
実施の形態３に係る半導体素子製造装置の他の効果は、実施の形態１に係る半導体素子製造装置が奏する前記効果と同様である。
【００７３】
なお、実施の形態１〜３に係る半導体素子製造装置においては、被処理物である基板１を垂直方向に設置し、カソード２を基板１に対して平行に設置する構成を用いたが、このような配置は、本発明の本質ではなく、状況によって変更可能なものである。例えば、基板を水平に配置しても問題なく、またカソード上に基板を配置しても問題ない。
【００７４】
【発明の効果】
本発明の１つの観点に係る半導体素子製造装置にあっては、カソードおよびアノードが、内部構造体によりチャンバーの壁面から隔離して支持されているので、大気圧に対する強度が不要になり、簡略化することができる。また、ヒータがチャンバー壁面から隔離されているので、外部への熱伝導が抑えられ、同壁面を冷却する冷却装置を省略することができる。従って、本発明に係る半導体素子製造装置によれば、簡便な構造でカソードおよびアノードを配置できるとともに、良好な膜堆積、膜厚分布を得ることができ、さらに、冷却装置を具備する必要がなく、装置全体構造の簡略化ひいては低価格化を実現することができる。
【００７５】
本発明の別の観点に係る半導体素子製造方法によれば、半導体薄膜あるいは光学的薄膜を用いた太陽電池、ＴＦＴ、感光体などの半導体素子を低コストでしかも効率よく得ることができる。
【図面の簡単な説明】
【図１】図１は、本発明の実施の形態１に係る半導体素子製造装置の概略縦断面図である。
【図２】図２は、本発明の実施の形態２に係る半導体素子製造装置の概略縦断面図である。
【図３】図３は、本発明の実施の形態３に係る半導体素子製造装置の概略縦断面図である。
【図４】図４は、従来の半導体素子製造装置の概略縦断面図である。
【図５】図５は、本発明の実施の形態３に係る半導体素子製造装置のカソード３（箱構造）の概略縦断面図である。
【符号の説明】
１  基板
２  カソード（シャワープレート）
３  アノード（箱構造、ヒータ内蔵）
４  アノード
５  カソード支持体
６  アノード支持体
７  アノード内排気・ガス導入管
８  内部構造体
９  放電空間内排気管
１０  ガス導入管
１１  チャンバー
１２  プラズマ励起電源
１３  インピーダンス整合器
１４  水冷部
１５  基板保持部
２１  真空ポンプ
２２  圧力制御器
２３  除害装置
２４  ヒータ
２５  保持脚
２６  不活性ガスボンベ
２７  ヒータ線
２８  アノード貫通穴
【図１】
2004214604.tif 000003
【図２】
2004214604.tif 000004
【図３】
2004214604.tif 000005
【図４】
2004214604.tif 000006
【図５】
2004214604.tif 000007